(57)【要約】      （修正有）【課題】試料の必要量に見合った大きさのるつぼ、小型るつぼの使用を可能とする高周波装置用少量試料処理用アダプターを提供する。【解決手段】るつぼに収容し、小型るつぼを保持する保持板を備えたアダプター１であって、小型るつぼ設置孔４を有する保持板３と、支持部５で連結した底板部６とからなる構成とする。小型るつぼ設置孔は、必要に応じて複数個（例えば、２個、３個）とする。また、保持板中央部には適宜把手を立設する。アダプター及びアダプターを装着するるつぼを、白金系合金より安価な石英で製作することができる。【選択図】図１
0003188484.tif 000002
【実用新案登録請求の範囲】
【請求項１】
るつぼに収容し、小型るつぼを保持する保持板を備えた高周波装置用少量試料処理用のアダプターであって、
前記アダプターは、小型るつぼ設置孔を有する保持板と、保持板と支持部で連結した底板部とからなることを特徴とする高周波装置用少量試料処理用のアダプター。
【請求項２】
前記保持板が、小型るつぼ設置孔を複数個有することを特徴とする請求項１記載の高周波装置用少量試料処理用のアダプター。
【請求項３】
前記保持板が、小型るつぼ設置の孔を３個有することを特徴とする請求項２記載の高周波装置用少量試料処理用のアダプター。
【請求項４】
前記保持板が、小型るつぼ設置の孔を２個有することを特徴とする請求項２記載の高周波装置用少量試料処理用のアダプター。
【請求項５】
前記保持板が、中央に立設した把手を有することを特徴とする請求項１〜４のいずれかに記載の高周波装置用少量試料処理用のアダプター。
【考案の詳細な説明】
【技術分野】
【０００１】
本考案は、岩石、土壌、鉄鉱石などの試料を溶解し蛍光Ｘ線分析、ＩＰＣ分析などに用いられる均質なサンプルを作成するための処理治具に関し、詳しくは、少量試料を処理する場合に用いられる小型るつぼを保持するアダプターに関する。
【背景技術】
【０００２】
従来、鉄鉱石、スラッグ、セメント、レンガ等の酸化物試料を蛍光Ｘ線分析、ＩＰＣ分析等の分析をする場合、試料調製には、マトリックス効果の影響を受けることなく高感度分析する方法として、ガラスビード法が知られている。
【０００３】
例えば、特許文献１に示されるようなるつぼを用いて試料が作成されているが、るつぼの材料は、白金−金の合金材料等高価な材料で作られるため、製作費用が高く付くという難点があった。
【０００４】
また、試料は少量でも分析可能な場合もあり、必ずしも、従来の大きさのるつぼである必要はないが、分析装置にかけるためには、最低限の大きさが必要になり、結果として、割高のるつぼを製作せざるを得なかった。
【先行技術文献】
【特許文献】
【０００５】
【特許文献１】実公平５−２５７０９号公報
【考案の概要】
【考案が解決しようとする課題】
【０００６】
本考案は、上記のような従来技術が抱える問題を解決し、試料の必要量に見合った大きさのるつぼ、小型るつぼの使用を可能とする高周波装置用少量試料処理用アダプターを提供することを課題とする。結果として、分析費用を低く抑えることを目論むものである。
【課題を解決するための手段】
【０００７】
本考案に係るアダプターは、従来のるつぼに装着できる大きさであって、保持板部に小型るつぼを保持させ得る構成とすることを特徴とし、以下の技術を基礎とする。
【０００８】
（１）るつぼに収容し、小型るつぼを保持する保持板を備えた高周波装置用少量試料処理用のアダプターであって、前記アダプターは、小型るつぼ設置孔を有する保持板と、保持板と支持部で連結した底板部とからなることを特徴とする高周波装置用少量試料処理用のアダプター。
【０００９】
（２）前記保持板が、小型るつぼ設置孔を複数個有することを特徴とする（１）記載の高周波装置用少量試料処理用のアダプター。
【００１０】
（３）前記保持板が、小型るつぼ設置孔を３個有することを特徴とする（２）記載の高周波装置用少量試料処理用のアダプター。
【００１１】
（４）前記保持板が、小型るつぼ設置孔を２個有することを特徴とする（２）記載の高周波装置用少量試料処理用のアダプター。
【００１２】
（５）前記保持板が、中央に立設した把手を有することを特徴とする（１）〜（４）のいずれかに記載の高周波装置用少量試料処理用のアダプター。
【考案の効果】
【００１３】
本考案に係るアダプターを用いることによって、少量試料を処理する場合には小型のるつぼの使用が可能となり、高価な白金−金合金などの白金系合金の使用量を少なくすることができる。ひいては費用の低減を図ることができる。
【図面の簡単な説明】
【００１４】
【図１】図１は、本考案に係る高周波装置用少量試料処理用のアダプターの一実施例を示す図である。
【００１５】
【図２】図２は、本考案に係るアダプターを装着する外側のるつぼを示す図である。
【００１６】
【図３】図３は、本考案に係るアダプターで使用する小型るつぼの一例を示す図である。
【００１７】
【図４】図４は、図１のアダプター（３個掛け）に図３の小型るつぼを載置し、図２のるつぼに装着した状態を示す図である。
【００１８】
【図５】図５は、図４を側面から見た状態を示す図である。
【００１９】
【図６】図６は、本考案に係るアダプターの別の実施例（２個掛け）を示す図である。
【００２０】
【図７】図７は、本考案に係るアダプターのさらに別の実施例（１個掛け）を示す図である。
【００２１】
【図８】図８は、本考案に係る１個掛けアダプターで使用する小型るつぼの一例を示す図である。
【考案を実施するための形態】
【００２２】
本考案に係るアダプターは、大きさは従来のるつぼに挿入できる大きさとし、高周波装置に適用可能な大きさとする。全体を、石英を素材として製作する。
【００２３】
アダプターは、小型るつぼを設置する孔を有する保持板と支持部で連結した底板部とからなり、必要に応じて、２個掛け、３個掛けの形状とし、適宜把手を設ける。
【実施例】
【００２４】
本考案の実施例を図に基づいて具体的に説明するが、本考案はこの実施例に制限されるものではない。
【００２５】
図１は、本考案に係るアダプターの一つの実施例（３個掛け）を示し、アダプター１は、把手２と、小型るつぼ設置孔４を３個有する保持板３と、支持部５で連結した底板部６とから構成される。
このアダプターに、試料を入れた小型るつぼ８を載置し、図２のるつぼ７に装着して使用する。小型るつぼは白金製のものを使用することが好ましい。
【００２６】
図１、図２の寸法例は、アダプター１の高さ１２mm、保持板３上部３６φ、底板部２３φ。るつぼ７は、高さ３１、上部５５φ、底面３４φである。
【００２７】
処理装置にかける際には、試料を小型るつぼ８に入れ、試料が入った小型るつぼ８を保持板３の設置孔４に載置し、把手２を用いて、るつぼ７内に装着する。
図４及び図５は、３個掛け保持板に小型るつぼ８を載置し、外側のるつぼ７に装着した状態を示している。
【００２８】
この場合、外側の容器であるるつぼ７は、白金−金合金のような高価な素材のものである必要はなく、アダプターと同じ素材、石英を使用して成形することができる。
【００２９】
小型るつぼ８には、図３に示すような載頭円錐状の側部を有するものや、下部が狭まったもの（図示せず）などがあるが、本案の保持板を使用すると、小型るつぼ８を底板部６で支持し、保持板３の設置孔４で位置決めするため、るつぼの形状に左右されずに使用可能である。
小型るつぼが設置孔に密着していると、溶融処理後の取り外しが困難になる場合があるので、設置孔の口径は、小型るつぼの上部径より大きめとする。
【００３０】
寸法例としては、図３の小型るつぼ（高さ１２mm、上部１０φで、底面は(a)が６φ、(b)が８φ）を使う場合、保持板３の設置孔４の口径は１２φである。図３の小型るつぼでは、高さ３〜４mmの蓋を使用する。
【００３１】
図１は保持板の設置孔数が３つ（３個掛け）のものであるが、孔の個数は必要に応じて採用され、図６は２個掛けの実施例、図７は１個掛けの実施例を示している。
【００３２】
２個掛けの寸法例は、図６では、高さ１２mm、保持板上部３６φ、底板部３３φである。
【００３３】
図７は、図８に図示する小型るつぼ（高さ２５mm、上部２５φ、底面２０φ）を保持するための１個掛けアダプターの実施例を示し、寸法例は、高さ１２mm、保持板上部３６φ、底板部３３φ、設置孔の口径が２７φである。
【００３４】
小型るつぼに、表１に示す試料及び試薬を入れ、高周波溶融装置にかけ、表１の条件で試験をしたところ、溶解出来ることが確認され、分析装置にかけることができた。
【００３５】
【表１】
0003188484.tif 000003
【産業上の利用可能性】
【００３６】
本考案に係るアダプターは、鉄鉱石、セラミック、セメント、底室土壌、岩石等の、少量の試料調製に用いることができ、ＩＣＰ分析、ＡＡ分析の試料調整（アルカリ溶融等）のみならず、蛍光Ｘ線分析用の試料調整（ガラスビードの作成）にも使用可能である。
【符号の説明】
【００３７】
１  高周波装置用少量試料処理用のアダプター
２  把手
３  保持板
４  小型るつぼ設置孔
５  支持部
６  底板部
７  るつぼ
８  小型るつぼ
【図１】
0003188484.tif 000004
【図２】
0003188484.tif 000005
【図３】
0003188484.tif 000006
【図４】
0003188484.tif 000007
【図５】
0003188484.tif 000008
【図６】
0003188484.tif 000009
【図７】
0003188484.tif 000010
【図８】
0003188484.tif 000011